(57)【要約】【目的】本発明は引き戸のレ−ル体に戻し機構をコンパクトに収納することのできる自動戻り引き戸及び引き戸を任意の位置にロックして停止させる引き戸停止装置の提供を目的とする。【構成】本発明の自動戻り引き戸はばねの力で動くラック等の直線動き手段を用いるため引き戸のレ−ル体に戻し機構をコンパクトに収納でき、その結果全体構造が小さくなって種々の引き戸、特に（特殊な引き戸のみでなく）住宅の一般的な引き戸、に用いることが可能になった。本発明の引き戸停止装置は加速度で動き可能なロック部材を用いるため引き戸を任意の位置にロックして停止させることが可能になった。【選択図】図２
2007315159.tif 000002
【特許請求の範囲】
【請求項１】
ばねの力で動くラック等の直線動き手段と、該直線動き手段により回動される駆動車と、該駆動車の回動によりワイヤ−等巻掛け伝動手段を介して戻される引き戸とからなる自動戻り引き戸
【請求項２】
ばねの力で動くラック等の直線動き手段と、該直線動き手段により回動される駆動車と、該駆動車の回動により引き戸に左右両方向から連結されたワイヤ−等巻掛け伝動手段を介して戻される引き戸とからなる自動戻り引き戸
【請求項３】
戻る方向に緩衝されながらばねの力で動くラック等の直線動き手段とした請求項１又は２の自動戻り引き戸
【請求項４】
シリンダ−内に装着されたばねの力で戻る方向に前記シリンダ−内の空気又はオイルの抵抗により緩衝されながら動くラック等の直線動き手段とした請求項１又は２の自動戻り引き戸
【請求項５】
引き戸に取り付けまたは設けられた収納室と、該収納室に引き戸の加速度で動き可能に設けられたロック部材と、該ロック部材が当接して引き戸をロックするレ−ルとからなる引き戸停止装置
【請求項６】
ばねの力で戻される引き戸と、該引き戸に取り付けまたは設けられた請求項５の引き戸停止装置とからなる引き戸停止装置付き自動戻り引き戸
【請求項７】
戻る方向に緩衝されながらばねの力で戻される引き戸と、該引き戸に取り付けまたは設けられた請求項５の引き戸停止装置とからなる引き戸停止装置付き自動戻り引き戸
【請求項８】
ばねの力で動くラック等の直線動き手段と、該直線動き手段により回動される駆動車と、該駆動車の回動によりワイヤ−等巻掛け伝動手段を介して戻される引き戸と、該引き戸に取り付けまたは設けられた請求項５の引き戸停止装置とからなる引き戸停止装置付き自動戻り引き戸
【請求項９】
シリンダ−内に装着されたばねの力で戻る方向に前記シリンダ−内の空気又はオイルの抵抗により緩衝されながら動くラック等の直線動き手段と、該直線動き手段により回動される駆動車と、該駆動車の回動によりワイヤ−等巻掛け伝動手段を介して戻される引き戸と、該引き戸に取り付けまたは設けられた請求項５の引き戸停止装置とからなる引き戸停止装置付き自動戻り引き戸
【請求項１０】
シリンダ−内に装着されたばねの力で戻る方向に前記シリンダ−内の空気又はオイルの抵抗により緩衝されながら動くラック等の直線動き手段と、該直線動き手段により回動される駆動車と、該駆動車の回動により引き戸に左右両方向から連結されたワイヤ−等巻掛け伝動手段を介して戻される引き戸と、該引き戸に取り付けまたは設けられた請求項５の引き戸停止装置とからなる引き戸停止装置付き自動戻り引き戸
【発明の詳細な説明】
【発明の詳細な説明】
【技術分野】
【０００１】本発明はばねの力で戻される自動戻り引き戸及び引き戸停止装置に関するものである。
【背景技術】
【０００２】従来においてばねの力で戻される自動戻り引き戸は公知である。
ところが従来はばねの力で動くラック等の直線動き手段を用いたものではないため引き戸のレ−ル体に戻し機構をコンパクトに収納できず、その結果全体構造が大きくなり特殊な引き戸にしか用いられていなかった。
【発明が解決しようとする課題】
【０００３】本発明は以上の従来の課題を解決し引き戸のレ−ル体に戻し機構をコンパクトに収納することのできる自動戻り引き戸の提供を目的とする。
本発明の他の目的は引き戸において該引き戸を任意の位置にロックして停止させる引き戸停止装置の提供にある。
【課題を解決するための手段】
【０００４】本発明は以上の目的達成のためにばねの力で動くラック等の直線動き手段により回動される駆動車で戻される自動戻り引き戸を提案するものである。
また本発明は加速度で動き可能に設けられたロック部材で引き戸をロックする引き戸停止装置を提案するものである。
【発明の効果】
【０００５】本発明の自動戻り引き戸及び引き戸停止装置の効果は次の通りである。
本発明の自動戻り引き戸はばねの力で動くラック等の直線動き手段を用いるため引き戸のレ−ル体に戻し機構をコンパクトに収納でき、その結果全体構造が小さくなって種々の引き戸、特に（特殊な引き戸のみでなく）住宅の一般的な引き戸、に用いることが可能になった。
本発明の引き戸停止装置は加速度で動き可能なロック部材を用いるため引き戸を任意の位置にロックして停止させることが可能になった。
【発明を実施するための最良の形態】
【０００６】以下本発明の自動戻り引き戸を図面に示す実施例に従って説明する。
図１及びその拡大図である図２と図３は本発明の自動戻り引き戸を示し、該自動戻り引き戸はレ−ル体（１）の上方の収納部（１ａ）（図４参照）に収納されたシリンダ−装置（３）を有する。
該シリンダ−装置（３）のシリンダ−（３１）には図２に示す様にピストン（３２）を押すばね（４）が装着される。
ばね（４）はラック等の直線動き手段を動かしその直線動き手段により駆動車を回動させるものである。
すなわちばね（４）で動かされるピストン（３２）のロッド（３３）にはラック（５）が固定され、該ラック（５）はピニオン（６）及びギア（７）を介して駆動車（８）を回動させるものである。
駆動車（８）に掛けられた（滑らない様に複数回巻付けて掛けることが望ましい）ワイヤ−等巻掛け伝動手段（１０）は引き戸（２）に連結され、その結果引き戸（２）は図５に示す様にばね（４）が圧縮された状態から図２の伸びた状態に戻る該ばね（４）の力により戻されることになる。
シリンダ−（３１）内に装着されたばね（４）の力でラック（５）等の直線動き手段は戻る際に前記シリンダ−（３１）内の空気の圧縮抵抗により緩衝されながら動くことになる。【０００７】すなわち図６に示す様にシリンダ−（３１）の端部には孔（３５）を塞ぐ逆止弁（３４）が設けられ、該逆止弁（３４）はばね（４）を圧縮する方向のピストン（３２）の動きには空気の流れを妨げず逆にばね（４）が伸びる方向のピストン（３２）の動きには空気の流れを遮断するものである。
以上の逆止弁（３４）が設けられた場合にはばね（４）の力で動くラック（５）等の直線動き手段により駆動車（８）が回動しワイヤ−等巻掛け伝動手段（１０）を介して引き戸（２）が戻される際にシリンダ−（３１）内の空気の圧縮抵抗により緩衝されながら戻る（ピストン（３２）とシリンダ−（３１）の間のわずかな隙間の空気の流れによりゆっくり戻る）ことになる。
但し逆止弁（３４）をピストンの左右両室の間に設けオイルをシリンダ−（３１）内に入れたオイルダンパ−にしてもよく、その場合にはオイルの抵抗により緩衝されることになる。
次に図１に示す様にワイヤ−等巻掛け伝動手段（１０）はレ−ル体（１）の左右両端部に設けられた滑車（９ａ）（９ｂ）を介して引き戸（２）に左右両方向から連結されているが、その理由は引き戸（２）の左右いずれの動きにも駆動車（８）を対応して回動させるためである。
駆動車（８）を用いる利点のひとつは引き戸（２）に左右両方向から連結できて引き戸（２）の動きを確実にばね（４）に伝えられることにある。【０００８】但し引き戸（２）を引っ張る方向についてのみ（一方向についてのみ）ワイヤ−等巻掛け伝動手段（１０）を連結してもよい、その場合には引き戸（２）の戻る動きは使用者によらずワイヤ−等巻掛け伝動手段（１０）のみによるものとすればよい。
また引き戸（２）は図４に示す様に吊りロ−ラ−（２ａ）（２ｂ）によりレ−ル体（１）のレ−ル部（１ｂ）に吊り下げ支持されている。
次にあらゆる引き戸について適用可能な本発明の引き戸停止装置について説明する。
すなわち本発明の引き戸停止装置は引き戸に取り付けまたは設けられた収納室と、該収納室に引き戸の加速度で動き可能に設けられたロック部材と、該ロック部材が当接して引き戸をロックするレ−ルとからなるものである。
この引き戸停止装置は本発明の自動戻り引き戸（すなわちばねの力で動くラック等の直線動き手段と、該直線動き手段により回動される駆動車と、該駆動車の回動によりワイヤ−等巻掛け伝動手段を介して戻される引き戸とからなる自動戻り引き戸）以外に例えばラック等の直線動き手段を用いない、さらにはばねを用いない、さらには自動戻りでない通常の（開け閉めを人がする）引き戸についても適用可能である。
通常の（開け閉めを人がする）引き戸に本発明の引き戸停止装置を用いた場合には速過ぎる閉じ方をすればロックされる（その結果開け閉めを静かにすることになるから大きな音が防止される）という利点がある。【０００９】本発明の引き戸停止装置の実施例を図２に示すが、引き戸停止装置（１２）は引き戸（２）の上端部に装着され図７に詳細を示す様に底面（１４）が傾斜した収納室（１３）に収納されたころがり部材（１５）を有する。
該ころがり部材（１５）はロック部材として機能するものであり、引き戸（２）の戻る動きの加速度を検出し傾斜した底面（１４）から上昇すれば引き戸（２）とレ−ル体（１）のレ−ル部（１ｂ）の間に挾まり引き戸（２）をロックするものである。
すなわち引き戸（２）を使用者が開いてすぐに（ゆっくりでなく）手を離すと引き戸（２）は急に戻る方向の動きに変わるから大きな加速度が生じころがり部材（１５）が傾斜した底面（１４）から上昇して引き戸（２）がロックされその開いた位置で開いたままとなる。
引き戸停止装置は図２の様に引き戸（２）の上端面とレ−ル部（１ｂ）の下端面の間に設ける以外に吊りロ−ラ−（２ａ）（２ｂ）の様に引き戸（２）の上方に取り付けてレ−ル部（１ｂ）の上方に配置し、さらにロックするための専用レ−ル（レ−ル部（１ｂ）とは別に内側壁に設ける専用レ−ル）をレ−ル体（１）の内部に設けてもよい。【００１０】次に他の引き戸停止装置（１２）を図８に示すが、該引き戸停止装置（１２）は引き戸（２）の加速度で動き可能に設けられたロック部材として倒立振り子（１６）が設けられる。
倒立振り子（１６）は引き戸（２）の戻る動きの加速度を検出して起き上がり引き戸（２）とレ−ル体（１）のレ−ル部（１ｂ）の間に挾まり引き戸（２）をロックするものである。
以上の実施例に示した本発明の自動戻り引き戸の作用は次の通り。
すなわち引き戸（２）は図１及び図２に示した状態が閉じた状態とすれば、その状態から使用者は引き戸（２）を右に引いて開く。
その際にワイヤ−等巻掛け伝動手段（１０）は引き戸（２）に引っ張られ駆動車（８）は回動する。
これによりギア（７）及びピニオン（６）が回転しラック（５）が押されてピストン（３２）が右方向に動く。
これにより図６に示す様にばね（４）が圧縮されていくが、その際に逆止弁（３４）が孔（３５）から（空気の流れにより）離れるためピストン（３２）は空気の抵抗を受けない。
すなわち使用者の引き戸（２）を開く操作はばね（４）の抵抗だけで軽く行なわれ該ばね（４）は圧縮されていく。【００１１】使用者が引き戸（２）開いてその反対側へと通過した後引き戸（２）から手を離せば引き戸（２）はばね（４）の力によりワイヤ−等巻掛け伝動手段（１０）を介して閉じられる。
その際には逆止弁（３４）が孔（３５）を塞ぐためピストン（３２）は空気の抵抗を受ける。
すなわちピストン（３２）とシリンダ−（３１）の間のわずかな隙間の空気の流れによりピストン（３２）はゆっくり戻り引き戸（２）はゆっくり閉じられていく。
また図７の引き戸停止装置（１２）が装着された場合については、引き戸（２）を使用者が開いてすぐに（ゆっくりでなく）手を離すと引き戸（２）は急に戻る方向の動きに変わるから大きな加速度が生じころがり部材（１５）が傾斜した底面（１４）から上昇して引き戸（２）がロックされその開いた位置で開いたままとなる。
引き戸（２）がロックされた状態で使用者が引き戸（２）をすこし開いてゆっくり手を離すと大きな加速度が生じないから引き戸停止装置（１２）は作動せず引き戸（２）はゆっくり閉じられていく。
図８の引き戸停止装置（１２）についても同様でありその説明を省略する。
【図面の簡単な説明】
【００１２】
【図１】本発明の自動戻り引き戸の正面断面図
【図２】図１の左部分の拡大正面断面図
【図３】図２の断面平面図
【図４】図２のＡ−Ａ断面図
【図５】図１の引き戸を使用者が右方向に引いた状態の正面断面図
【図６】本発明のシリンダ−装置の一部断面正面図
【図７】本発明の引き戸停止装置の正面断面図
【図８】本発明の他の引き戸停止装置の正面断面図
【符号の説明】
【００１３】１    レ−ル体
１ａ  収納部
１ｂ  レ−ル部
２    引き戸
２ａ  吊りロ−ラ−
２ｂ  吊りロ−ラ−
３    シリンダ−装置
３１  シリンダ−
３２  ピストン
３３  ロッド
３４  逆止弁
３５  孔
４    ばね
５    ラック
６    ピニオン
７    ギア
８    駆動車
９ａ  滑車
９ｂ  滑車
１０  ワイヤ−等巻掛け伝動手段
１２  引き戸停止装置
１３  収納室
１４  底面
１５  ころがり部材
１６  倒立振り子
【図１】
2007315159.tif 000003
【図５】
2007315159.tif 000004
【図２】
2007315159.tif 000005
【図３】
2007315159.tif 000006
【図４】
2007315159.tif 000007
【図６】
2007315159.tif 000008
【図７】
2007315159.tif 000009
【図８】
2007315159.tif 000010